(57)【要約】【課題】  つなぎ部用ＬＵＴが用意されていないメディアのつなぎ部用ＬＵＴを提供する。【解決手段】  S100にて、非つなぎ部用LUT0とつなぎ部用LUT3を特定し、各グリッドについて線形関数ｆ１（ｘ，ｙ）を生成し、S110にて、つなぎ部用LUT1，LUT2について、同線形関数との色差が全体で最も小さくなるパラメーターｘ（メディア変数）を求め、S120では、LUT0〜LUT3の全グリッドの値とメディア変数ｘを使用して近似式を生成し、S130にて、複数の値をパラメーターに設定して同近似式を用いて各グリッドのデータを設定し、各パラメーターに対応するLUT候補を生成し、S140にて、各LUT候補LUT4-1〜LUT4-4を使用してつなぎ印刷を行ない、つなぎ部と非つなぎ部とが一致するものを、S170にて、選択結果として受け付け、このメディア用のつなぎ部用LUTとする。【選択図】  図６
2018082297.tif 000002
【特許請求の範囲】
【請求項１】
複数のつなぎ部用のＬＵＴを使用し、各ＬＵＴのグリッドのデータを利用し、所定のグリッドについて所定のパラメーターに対する近似値を生成する近似式を生成する工程と、
所定のパラメーターと前記近似式とに基づいて近似値を生成してＬＵＴ候補を生成する工程と、を備えることを特徴とする色変換ルックアップテーブル作成方法。
【請求項２】
非つなぎ部用のＬＵＴと、１のつなぎ部用の前記ＬＵＴとに基づいて、所定のグリッドについて、前記パラメーターに対応する線形関数を生成し、
残りの前記つなぎ部用のＬＵＴについて前記線形関数に基づいたＬＵＴとの色差が所定値以下となる前記パラメーターを求め、
前記パラメーターに対応する非つなぎ部用の前記ＬＵＴとつなぎ部用の前記ＬＵＴにおける所定のグリッドについて、近似式を生成し、
前記パラメーターを所定の値として設定して前記近似式を用いてＬＵＴの各グリッドのデータを設定し、各パラメーターに対応する前記ＬＵＴ候補を生成することを特徴とする請求項１に記載の色変換ルックアップテーブル作成方法。
【請求項３】
非つなぎ部用のＬＵＴを使用し、当該非つなぎ部用のＬＵＴのグリッドのデータと、つなぎ部用の前記各ＬＵＴのグリッドのデータを利用し、前記近似値を生成することを特徴とする請求項１または請求項２に記載の色変換ルックアップテーブル作成方法。
【請求項４】
非つなぎ部用のＬＵＴと、１のつなぎ部用のＬＵＴとに基づいて、所定のグリッドについて、前記パラメーターに対応する線形関数を生成し、
残りの前記つなぎ部用のＬＵＴについて前記線形関数に基づいたＬＵＴとの色差が所定値以下となる前記パラメーターを求め、
前記パラメーターに対応する非つなぎ部用の前記ＬＵＴとつなぎ部用の前記ＬＵＴにおける所定のグリッドについて、近似式を生成し、
前記パラメーターを所定の値として設定して前記近似式を用いてＬＵＴの各グリッドのデータを設定し、各パラメーターに対応する前記ＬＵＴ候補を生成することを特徴とする請求項３に記載の色変換ルックアップテーブル作成方法。
【請求項５】
複数のつなぎ部用のＬＵＴと、
前記各ＬＵＴのグリッドのデータを利用し、所定のグリッドについて所定のパラメーターに対する近似値を生成する近似値生成部と、
所定のパラメーターに基づいて前記近似値生成部で得られる近似値に基づいたＬＵＴ候補を生成するＬＵＴ候補生成部と、を備えることを特徴とする色変換ルックアップテーブル作成装置。
【請求項６】
複数のパラメーターを使用して前記ＬＵＴ候補生成部にて複数のＬＵＴ候補を生成し、各ＬＵＴ候補を使用してつなぎ印刷する候補印刷部と、
いずれかのＬＵＴ候補の選択結果を受け付けて同選択結果に対応するＬＵＴ候補をつなぎ部印刷用のＬＵＴと設定するＬＵＴ設定部と、を具備することを特徴とする請求項５に記載の色変換ルックアップテーブル作成装置。
【請求項７】
非つなぎ部用のＬＵＴを備え、
前記近似値生成部は、当該非つなぎ部用のＬＵＴのグリッドのデータと、つなぎ部用の前記各ＬＵＴのグリッドのデータを利用し、前記近似値を生成することを特徴とする請求項５または請求項６に記載の色変換ルックアップテーブル作成装置。
【請求項８】
前記ＬＵＴ候補生成部は、
非つなぎ部用のＬＵＴと、１のつなぎ部用のＬＵＴとに基づいて、所定のグリッドについて、前記パラメーターに対応する線形関数を生成し、
残りの前記つなぎ部用のＬＵＴについて前記線形関数に基づいたＬＵＴとの色差が所定値以下となる前記パラメーターを求め、
前記パラメーターに対応する非つなぎ部用の前記ＬＵＴとつなぎ部用の前記ＬＵＴにおける所定のグリッドについて、近似式を生成し、
前記パラメーターを所定の値として設定して前記近似式を用いてＬＵＴの各グリッドのデータを設定し、各パラメーターに対応する前記ＬＵＴ候補を生成することを特徴とする請求項７に記載の色変換ルックアップテーブル作成装置。
【発明の詳細な説明】
【技術分野】
【０００１】
本発明は、つなぎ部印刷を行う際に使用する色変換ルックアップテーブルの作成方法および作成装置に関する。
【背景技術】
【０００２】
インクジェットプリンターでは、プリントヘッドのつなぎ部と非つなぎ部で色差が生じることがある。この結果、印刷欠陥であるバンディングが発生する。
特許文献１に示す公報は、つなぎ部のインク量を調整することで、このバンディングを低減している。
【先行技術文献】
【特許文献】
【０００３】
【特許文献１】特開２０１１−１８９５１２号公報
【発明の概要】
【発明が解決しようとする課題】
【０００４】
つなぎ部でバンディングを低減するためには、メディアごとに適したつなぎ部のインク量を調整する必要がある。しかし、予め全ての種類のメディアを入手し、全てのメディアに対応したつなぎ部用ＬＵＴを作成することは困難であった。
予めつなぎ部用ＬＵＴが用意されていないメディアのためのつなぎ部用ＬＵＴを提供し、バンディングを生じさせないようにする。
【課題を解決するための手段】
【０００５】
本発明は、複数のつなぎ部用のＬＵＴと、前記各ＬＵＴのグリッドのデータを利用し、所定のグリッドについて所定のパラメーターに対する近似値を生成する近似値生成部と、所定のパラメーターに基づいて前記近似値生成部で得られる近似値に基づいたＬＵＴ候補を生成するＬＵＴ候補生成部と、を備える構成としてある。
前記構成において、近似値生成部は、複数のつなぎ部用のＬＵＴのグリッドのデータを利用し、所定のグリッドについて所定のパラメーターに対する近似値を生成可能となっており、ＬＵＴ候補生成部は、所定のパラメーターを設定し、同パラメーターに基づいて前記近似値生成部で近似値を得ることにより、ＬＵＴ候補を生成する。
複数の既存のつなぎ部用のＬＵＴがあれば、これに基づいて近似値を得てＬＵＴ候補を作成できる。
【０００６】
本発明の他の態様として、複数のパラメーターを使用して前記ＬＵＴ候補生成部にて複数のＬＵＴ候補を生成し、各ＬＵＴ候補を使用してつなぎ印刷する候補印刷部と、いずれかのＬＵＴ候補の選択結果を受け付けて同選択結果に対応するＬＵＴ候補をつなぎ部印刷用のＬＵＴするＬＵＴ設定部とを備える構成としても良い。
【０００７】
前記構成において、候補印刷部は、複数のパラメーターを使用して前記ＬＵＴ候補生成部にて複数のＬＵＴ候補を生成し、各ＬＵＴ候補を使用して特定のメディア上につなぎ印刷する。一例として、ユーザーはこの印刷物を目視してつなぎ部のバンディングが目立たないものを選択する。印刷物の選択は、いずれかのＬＵＴ候補の選択といえる。この選択結果は、ＬＵＴ設定部に入力する。すると、同ＬＵＴ設定部は、いずれかのＬＵＴ候補の選択結果を受け付けて同選択結果に対応するＬＵＴ候補をつなぎ部印刷用のＬＵＴする。以後、このつなぎ部印刷用のＬＵＴを使用することで、特定のメディア上でバンディングが目立たなくなる。
【発明の効果】
【０００８】
本発明によれば、予めつなぎ部用ＬＵＴが用意されていないメディアのためのつなぎ部用ＬＵＴを提供でき、バンディングを生じさせないようにすることができる。
【図面の簡単な説明】
【０００９】
【図１】本発明が適用される印刷システムのブロック図である。
【図２】印刷ヘッドと、つなぎ部および非つなぎ部との関係を示す図である。
【図３】つなぎ部と非つなぎ部とＬＵＴの関係を示す図である。
【図４】専用のつなぎ部用ＬＵＴを使用しない場合の印刷結果を示している。
【図５】メディア変数を示す図である。
【図６】メディア変数を用いて近似値を得る手法を示すフローチャートである。
【図７】パラメーターｘを求める手法を説明する図である。
【図８】メディア変数を示す図である。
【図９】メディア変数を用いして近似値を得る手法を示すフローチャートである。
【発明を実施するための形態】
【００１０】
（第１実施形態）
以下、図面にもとづいて本発明の実施形態を説明する。
図１は、本発明が適用される印刷システムのブロック図である。
同図において、プリンター（液滴吐出装置）１０の印刷ヘッド１７はインクタンクから供給される４色あるいは６色の色インクをノズルから吐出する。用紙の送り方向にノズルが配向された印刷ヘッド１７は、キャリッジモーター１８にて駆動されるベルト１９によって所定の範囲を往復駆動される。このように印刷ヘッド１７が用紙の搬送に合わせて往復動するタイプのプリンターは、各種の呼び方があるものの、ここではシリアルプリンターと呼ぶ。
【００１１】
印刷ヘッド１７は、プラテン１２がプラテンモーター１３によって回転駆動されることで用紙が印刷ヘッド１７と交差して搬送される。印刷ヘッド１７は、用紙の搬送方向に沿ってノズルが配列されており、用紙の搬送と、用紙の幅方向への印刷ヘッド１７の往復動により、用紙上を相対的に移動する。
フィードモーター１４は所定の用紙スタッカに収容されている用紙を供給する給紙ローラー１５を駆動する。
なお、印刷ヘッドが用紙の幅方向にわたって配置されて静止し、用紙の搬送に合わせて相対的に移動するタイプのプリンターをラインプリンターと呼ぶ。
【００１２】
制御回路２０は、専用のＩＣを組み合わせて構成され、機能的にはＣＰＵ、ＲＯＭ、ＲＡＭを備えている。制御回路２０は、印刷ヘッド１７、キャリッジモーター１８、プラテンモーター１３、フィードモーター１４の駆動を制御する。制御回路２０には、操作パネル・表示部１６が装着されており、操作パネル・表示部１６にてユーザーによる所定の操作を受け付け、また、所定の表示を行わせる。前記ハードウェアを総称して印刷機構と呼ぶ。
本プリンター１０は、ネットワーク３０に接続され、当該ネットワーク３０を介してＰＣ４０などから印刷データを取得すると、同印刷データに対応した印刷を実行する。
【００１３】
図２は、印刷ヘッドと、つなぎ部および非つなぎ部との関係を示している。
シリアルプリンターにおいては、印刷ヘッドの用紙方向の長さに制限があるため、印刷ヘッドの往復動で所定長さの範囲にわたって印刷を行った後、用紙を所定長さだけ搬送し、これを繰り返すことで用紙全長にわたって印刷が可能となる。このとき、用紙送りの正確さに限界があり、わずかに長すぎれば白スジが生じるし、わずかに短すぎれば二度うちによる濃いスジが表れる。このため、印刷ヘッドの上端のいくつかのノズル分の範囲と下端のいくつかのノズル分の範囲とが重なり合うようにすることで、このような現象を回避することが行われている。重なり合う範囲をつなぎ部と呼び、重なり合わない範囲を非つなぎ部と呼ぶ。
【００１４】
図２において、左方側は印刷ヘッド１７を模式的に示しており、右方側には用紙を模様的に示している。印刷ヘッド１７は第１パス目において右方に移動し、下端のいくつかのノズル分（つなぎ部用ノズルと示す）は、全てのドットを印刷しない。印刷ヘッド１７は第２パス目において左方に移動し、上端のいくつかのノズル分（つなぎ部用ノズルと示す）は、全てのドットを印刷しない。このとき、第１パス目の下端のいくつかのノズル分と、第２パス目の上端のいくつかのノズル分とが重なり合い、全てのドットを印刷することになる。以下、下端のいくつかのノズル分（つなぎ部用ノズルと示す）と上端のいくつかのノズル分（つなぎ部用ノズルと示す）とが重なり合い、全てのドットを印刷することを繰り返す。むろん、上端のいくつかのノズルと、下端のいくつかのノズルとの間の他のノズル（非つなぎ部用ノズルと示す）は１パスごとに全てのドットを印刷する。
【００１５】
図３は、つなぎ部と非つなぎ部とＬＵＴの関係を示している。
つなぎ部では、印刷ヘッドの下端が印刷を行った後、用紙を搬送し、その後、同じ範囲を印刷ヘッドの上端で印刷を行う。複数回に分けて印刷するため、それぞれで間引きして印刷し、全体で本来の全ドットを印刷する。例えば、２回に分けて印刷するとして、前回の印刷と、今回の印刷の間には、所定の時間が経過するため、前回の印刷のインクが乾いたり、用紙の奥に深く染み込んだり、用紙上でインクが染み広がるという現象が生じる。このため、つなぎ部での印刷と、非つなぎ部での印刷に差が生じる。その原因がメディアの性質に大きく依存することから、メディアごとにつなぎ部用の個別ＬＵＴを用意しておくことが行われている。
【００１６】
図３（ａ）では、あるメディア１に対して全体を非つなぎ部用ＬＵＴ０で印刷したところ、非つなぎ部で色の濃さが異なる部位が生じるものの、非つなぎ部では非つなぎ部用ＬＵＴ０を使用して印刷し、つなぎ部ではつなぎ部用ＬＵＴ１を使用して印刷したところ、色の濃さに変化が生じなくなる状況を示している。
図３（ｂ）は、あるメディア２に対して同様の結果を示しており、図３（ｃ）でも、あるメディア３に対して同様の結果が得られることを示している。
【００１７】
図４は、専用のつなぎ部用ＬＵＴを使用しない場合の印刷結果を示している。
上述したように、メディアの性質によってつなぎ部での印刷結果が非つなぎ部の印刷結果と一致しないのであるから、前記のメディアとは異なるメディア４に対して、図４（ａ）〜（ｃ）に示すように、既存のつなぎ部用ＬＵＴ１〜３を使用しても、つなぎ部での印刷結果と非つなぎ部での印刷結果とは一致しない。すなわち、色の濃さに変化が生じる。
しかし、メディアごとに異なる必要があるものの、重ね印刷するときの印刷時に間隔を置くことによって生じる変化を打ち消すものであるため、大きく異なるという性質のものではないと考えられる。
【００１８】
本実施例においては、既存のＬＵＴを使用して、未対応のメディアのつなぎ部用ＬＵＴを生成する。
図５は、メディア変数を示す図であり、図６は、同メディア変数を用いて近似値を得る手法を示すフローチャートである。このフローチャートは、制御回路２０が実行することも可能であるし、ＰＣ４０がプリンタードライバーの一つの機能として実行することも可能である。プリンター１０にはつなぎ部用のＬＵＴが記憶されていない場合は、ＰＣ４０で実行する。
【００１９】
まず、ステップＳ１００では、非つなぎ部用のＬＵＴ０と、いずれか１つのメディアのつなぎ部用のＬＵＴ３とを特定し、各グリッドのデータを利用して、線形関数ｆ（ｘ，ｙ）を生成する。なお、線形関数ｆ（ｘ，ｙ）とは、
ｙ＝ａｘ＋ｂ
である。このとき、正規化のため、ＬＵＴ０については、ｘ＝０、ＬＵＴ１についてはｘ＝１とする。これにより、ａ，ｂが自ずから特定される。グリッドについては、４色で、各色１７グリッドであれば、１７ｘ１７ｘ１７ｘ４個のグリッドごとに、この線形関数ｆ（ｘ，ｙ）を設定する。
【００２０】
線形関数を生成するグリッドは、全グリッドで行っているが、全グリッドで行わず、数を減らした所定のグリッドで行うことも可能である。
前記の処理が、非つなぎ部用のＬＵＴと、１のつなぎ部用のＬＵＴとに基づいて、所定のグリッドについて、パラメーターに対応する線形関数を生成する処理に相当する。
【００２１】
次に、ステップＳ１１０では、残りのつなぎ部用ＬＵＴ１，ＬＵＴ２について、この線形関数との色差が全体で最も小さくなるパラメーターｘを求める。すなわち、各グリッドごとに、グリッドの値と、線形関数ｆ（ｘ，ｙ）の値との差異を求め、二乗した上で総和を求める。ａ，ｂは定数で、ｘのみ変数であるから、ｘに所定の値を設定すれば、線形関数ｆ（ｘ，ｙ）の値が決まる。ここで求めるのは色差が最も少なくなる値であるから、ｘの値を徐々に変化させて最適値を求めればよい。このとき、ｘは必ずしも０から１の範囲であるとは限らない。つなぎ部用ＬＵＴ１，ＬＵＴ２，ＬＵＴ３という順番であるとは限らないからである。
以上の処理が、残りのつなぎ部用のＬＵＴについて前記線形関数に基づいたＬＵＴとの色差が所定値以下となるパラメーター（ｘ）を求める処理に相当する。このパラメーターｘを、本実施例では、メディア変数と呼ぶ。
【００２２】
メディア変数が求められたら、ステップＳ１２０では、全てのＬＵＴ０〜ＬＵＴ３の各グリッドの値と、メディア変数ｘを使用して、近似式を生成する。パラメーターｘを求める処理とは異なり、１７ｘ１７ｘ１７ｘ４個の全てのグリッドごとに、近似式ｇ（ｘ，ｙ）を求める。近似式ｇ（ｘ，ｙ）は、一般的には最小二乗法を使用して求める。むろん、最小二乗違法以外の手法を採用しても構わない。各グリッドごとに、ｘの値を設定することで、各グリッドの値ｙが近似式ｇ（ｘ，ｙ）によって求められることになる。
【００２３】
以上の処理が、パラメーターに対応する非つなぎ部用のＬＵＴ０とつなぎ部用のＬＵＴ１〜ＬＵＴ３における所定のグリッドについて、近似式を生成する処理に相当する。
また、このようにして近似式を得られたら、以後は、パラメーターｘに所定の値を設定すれば、各グリッドの近似値を生成することができるので、前記の過程を実現する処理は近似値生成部に相当する。
また、全てのグリッドの値を近似すればＬＵＴができあがる。すなわち、所定のパラメーターに基づいて近似値生成部で得られる近似値に基づいたＬＵＴ候補を生成することができ、かかる処理を実施することがＬＵＴ候補生成部に相当する。
【００２４】
このように、近似値生成部と、ＬＵＴ候補生成部とが実現されれば、パラメーターｘの値を用いて所定のメディアのためのつなぎ部用ＬＵＴを生成できる。例えば、ユーザーの元に予めＬＵＴ０〜ＬＵＴ３が提供されていれば、新しいメディアに対してパラメーターｘの値を通知することにより、近似値生成部とＬＵＴ候補生成部とが演算処理によって新しいつなぎ部用ＬＵＴを生成できる。
各ＬＵＴ０〜ＬＵＴ３と、近似値生成部と、ＬＵＴ候補生成部とによって色変換ルックアップテーブル作成装置を実現できる。また、この色変換ルックアップテーブル作成装置は、後述する候補印刷部や、ＬＵＴ設定部も含む構成とすることができる。この色変換ルックアップテーブル作成装置によって、つなぎ部用ＬＵＴが生成されるため、その生成工程が色変換ルックアップテーブル作成方法に相当する。
【００２５】
ただし、上述した説明では、まだ、未知のメディアに対するパラメーターｘは、まだ求められていない。特定のメディアに対するパラメーターｘは、以下のようにして求める。
図７は、パラメーターｘを求める手法を説明する図である。
パラメーターｘが特定されていないので、ｘの値として、複数の値を設定して、それぞれの場合の全てのグリッドの値を近似式ｇ（ｘ，ｙ）で求める。これにより、所定の値のパラメーターに対するＬＵＴ候補を生成できる。図７に示す例では、ｘに、「０．２」、「０．４」、「０．６」、「０．８」の値を設定して、４つのつなぎ部用ＬＵＴ４−１〜ＬＵＴ４−４を生成している。
【００２６】
すなわち、ステップＳ１３０では、パラメーターを所定の値として設定して前記近似式を用いてＬＵＴの各グリッドのデータを設定し、各パラメーターに対応するＬＵＴ候補を生成する。
なお、以上を実施する処理がＬＵＴ候補生成部に相当する。
このようにして、ＬＵＴ候補生成部にて、複数のパラメーターを使用して複数のＬＵＴ候補を生成させたら、ステップＳ１４０では、各ＬＵＴ候補を使用してつなぎ印刷を行なう。図７（ａ）は、パラメーターｘの値を示し、同図（ｂ）は生成されるつなぎ部用ＬＵＴを示し、同図（ｃ）はつなぎ印刷を行った結果を示している。
このような複数のつなぎ印刷を行う処理は候補印刷部に相当する。
【００２７】
同図（ｃ）を参照すると、つなぎ部用ＬＵＴ４−１，ＬＵＴ４−３，ＬＵＴ４−４においては、つなぎ部の濃さが非つなぎ部の濃さと異なっており、スジが目視できている。しかし、つなぎ部用ＬＵＴ４−２を使用した場合は、つなぎ部の濃さと非つなぎ部の濃さとが一致しており、スジが目視できない。すなわち、ｘ＝０．４の値として生成されたＬＵＴ候補がメディア４に対応したつなぎ部用ＬＵＴであることが分かる。
【００２８】
この例では、つなぎ部の濃さと非つなぎ部の濃さとが一致して、スジが目視できないものは一つであるが、ｘ＝０．６の場合のように、わずかな差としてスジが表れているものの、他にはこれ以上に差の薄いものがない場合もあり得る。このような場合は、パラメーターの前後の値として、「０．４」、「０．５」、「０．６」、「０．７」、「０．８」を設定して再度印刷し直すようにしてもよい。
【００２９】
また、ｘ＝０．６の場合のように、わずかな差としてスジが表れているものが、「０．４」、「０．６」の二つのパラメーターにおいて表れていることもあろう。このような場合には、「０．４」、「０．４５」、「０．５」、「０．５５」、「０．６」を設定して再度印刷し直すようにしてもよい。
すなわち、最も色差の薄いものが１つあれば、その値を挟む前後でいくつかのパラメーターを設定するし、最も色差の薄いものが２つあれば、二つのパラメーターの間にいくつかの値をパラメーターに設定すればよい。
【００３０】
以上において、ステップＳ１５０では、つなぎ部の濃さと非つなぎ部の濃さとが一致するものが単独で見つかるかを判断しており、見つからない場合は、ステップＳ１６０にて、上述したようにパラメーター設定し直すとともに、ステップＳ１３０以下を繰り返す。
一方、単独で見つかった場合は、ステップＳ１７０にて、選択結果の入力を受け付け、対応するパラメーターをこのメディア用のつなぎ部用ＬＵＴとして設定する。
【００３１】
一度でつなぎ目の分からないＬＵＴ候補を選択できる場合も、二度目でＬＵＴ候補を選択できる場合も、ＬＵＴ候補を選択したら、そのＬＵＴ候補の選択結果を入力する。すると、当該選択結果を受け付けて同選択結果に対応するＬＵＴ候補をこのメディア用のつなぎ部印刷用のＬＵＴする。この処理はＬＵＴ設定部に相当する。
【００３２】
（第２実施形態）
第１実施形態では、非つなぎ部用のＬＵＴについて、メディア変数が「０」の値のものとして、最初の線形関数を得る時点で使用している。しかし、非つなぎ部用のＬＵＴが必須であるわけではない。
例えば、つなぎ部用のＬＵＴ１〜ＬＵＴ３に基づいて、ほぼ同様の処理を行うことが可能である。
【００３３】
図８は、メディア変数を示す図であり、図９は、同メディア変数を用いして近似値を得る手法を示すフローチャートである。
まず、ステップＳ２００にて、いずれか２つのメディアのつなぎ部用のＬＵＴ１，ＬＵＴ３を特定し、各グリッドについて、線形関数ｆ１（ｘ，ｙ）を生成する。このとき、つなぎ部用ＬＵＴ１について、パラメーターｘを「０」とし、つなぎ部用ＬＵＴ３について、パラメーターｘを「１」として算出する。ステップＳ１００では、非つなぎ部用ＬＵＴ０について、パラメーターｘを「０」としていたのに対し、ステップＳ２００では、つなぎ部用ＬＵＴ１について、パラメーターｘを「０」としている点で異なる。
非つなぎ部用ＬＵＴ０を使用できない場合でも、つなぎ部用ＬＵＴ１で代用できる。
【００３４】
次に、ステップＳ２１０にて、残りのつなぎ部用ＬＵＴ２について、この線形関数との色差が全体で最も小さくなるパラメーターｘ（メディア変数）を求める。演算方法はステップＳ１１０と同様である。
メディア変数が求められたら、ステップＳ２２０では、全てのＬＵＴ１〜ＬＵＴ３の各グリッドの値と、メディア変数ｘを使用して、近似式を生成する。この処理は、ステップＳ１２０と同様でよい。
【００３５】
ステップＳ２３０では、パラメーターを複数の値として設定して前記近似式を用いてＬＵＴの各グリッドのデータを設定し、各パラメーターに対応するＬＵＴ候補を生成する。前述のように、一例として、ｘに、「０．２」、「０．４」、「０．６」、「０．８」の値を設定すれば、４つのつなぎ部用ＬＵＴ４１−１〜ＬＵＴ４１−４を生成することが可能である。つなぎ部用ＬＵＴ２のメディア変数が０未満、あるいは１を超えるような場合は、ｘに、０未満、あるいは、１を超える値を設定する方がよい。
【００３６】
複数のＬＵＴ候補が生成されたら、ステップＳ２４０にて、各ＬＵＴ候補ＬＵＴ４１−１〜ＬＵＴ４１−４を使用してつなぎ印刷を行なう。ステップＳ２５０にて、つなぎ部の濃さと非つなぎ部の濃さとが一致するものが単独で見つかるか、その選択の入力を待機する。単独で見つからない場合は、ステップＳ２６０にて、パラメーター設定し直し、Ｓ２３０以下を繰り返す。また、単独で見つかれば、ステップＳ２７０にて、同選択結果の入力を受け付け、対応するパラメーターをこのメディア用のつなぎ部用ＬＵＴとして設定する。
【００３７】
なお、本発明は前記実施例に限られるものでないことは言うまでもない。当業者であれば言うまでもないことであるが、
・前記実施例の中で開示した相互に置換可能な部材および構成等を適宜その組み合わせを変更して適用すること
・前記実施例の中で開示されていないが、公知技術であって前記実施例の中で開示した部材および構成等と相互に置換可能な部材および構成等を適宜置換し、またその組み合わせを変更して適用すること
・前記実施例の中で開示されていないが、公知技術等に基づいて当業者が前記実施例の中で開示した部材および構成等の代用として想定し得る部材および構成等と適宜置換し、またその組み合わせを変更して適用すること
は本発明の一実施例として開示されるものである。
【符号の説明】
【００３８】
１０…プリンター、１２…プラテン、１３…プラテンモーター、１４…フィードモーター、１５…給紙ローラー、１６…操作パネル・表示部、１７…印刷ヘッド、１８…キャリッジモーター、１９…ベルト、２０…制御回路、３０…ネットワーク、４０…ＰＣ。
【図１】
2018082297.tif 000003
【図２】
2018082297.tif 000004
【図３】
2018082297.tif 000005
【図４】
2018082297.tif 000006
【図５】
2018082297.tif 000007
【図６】
2018082297.tif 000008
【図７】
2018082297.tif 000009
【図８】
2018082297.tif 000010
【図９】
2018082297.tif 000011